(57)【特許請求の範囲】
【請求項１】
内部に液体が充填された弾力性のある補液バッグを複数個同時に支持する補液バッグ支持装置において、
複数段に積み上げられた補液バッグが載置された状態でこの補液バッグを斜めに支持する傾斜面を有する傾斜台と、
この傾斜台のうち高い方の端部近傍に位置し、傾斜台に複数段に積み上げられた補液バッグのそれぞれの基端部を支持して滑落を防止すると共に補液バッグ内の液体の減少に伴う補液バッグの撓みを抑えて、その先端部が低い位置にずれて、すべての補液バッグが傾斜角度を大きくしていって液体の残留を防止する基端支持部と、
前記傾斜台のうち低い方の端部近傍に位置し、傾斜台に複数段に積み上げられた補液バッグのそれぞれの液体出口を支持する液体出口支持部と
を備えて構成されたことを特徴とする補液バッグ支持装置。
【請求項２】
請求項１に記載の補液バッグ支持装置において、
前記補液バッグが前記傾斜台上に複数列に配置されてそれぞれの列で複数段に積み上げられるように前記基端支持部及び液体出口支持部を複数列配設すると共に、一の列を最低とし他の列はそれよりも高くなるように前記傾斜面の高さを調整したことを特徴とする補液バッグ支持装置。
【請求項３】
請求項１または２に記載の補液バッグ支持装置において、
前記基端支持部が前記傾斜台に対して出し入れ可能に取り付けられたことを特徴とする補液バッグ支持装置。
【請求項４】
液体を少量づつ継続的に供給する補液装置において、
弾力性を有すると共に内部に液体が充填されて複数段に積み上げられた補液バッグと、
当該各補液バッグが載置された状態でこの補液バッグを斜めに支持する傾斜面を有する傾斜台と、
この傾斜台のうち高い方の端部近傍に位置し、傾斜台に複数段に積み上げられた補液バッグのそれぞれの基端部を支持して滑落を防止すると共に補液バッグ内の液体の減少に伴う補液バッグの撓みを抑えて、その先端部が低い位置にずれて、すべての補液バッグが傾斜角度を大きくしていって液体の残留を防止する基端支持部と、
前記傾斜台のうち低い方の端部近傍に位置し、傾斜台に複数段に積み上げられた補液バッグのそれぞれの液体出口を支持する液体出口支持部と、
前記基端支持部及び液体出口支持部で支持された状態で前記傾斜台上に積み上げられた複数の補液バッグのうち互いに隣接する各液体出口をそれぞれ接続し、各補液バッグ内の液体を最低位置の補液バッグを介して外部に供給する接続管と
を備えて構成されたことを特徴とする補液装置。
【発明の詳細な説明】
【０００１】
【発明の属する技術分野】
本発明は、例えば人工透析療法で使用される装置であって、蓄えた液体を少量づつ継続的に供給する際に用いる補液バッグを支持する補液バッグ支持装置及び補液装置に関するものである。
【０００２】
【従来の技術】
一般に、人工透析療法等で用いられる補液装置としては、図２に示すようなものが知られている。図中の１は人工透析装置である。この人工透析装置１の内部に血液が通され、透析処理が行われる。人工透析装置１の上部には、補液を供給する補液装置２が設けられ、透析処理の際に必要に応じて補液装置２から補液が少量ずつ継続的に供給される。
【０００３】
補液装置２は主に、人工透析装置１の上部に縦方向に配設された支持棒３と、この支持棒３の上端部及び中間部に複数個円環状に配設されたフック４とから構成されている。そして、補液の入った補液ビン５が各フック４に掛けられ、供給管（図示せず）によって人工透析装置１内に補液が供給されるようになっている。
【０００４】
【発明が解決しようとする課題】
ところが、前記従来の補液装置２では、フック４が円環状に配設されているため、補液ビン５も円環状に設置され、大きなスペースが必要となる。これは、ガラスビンの場合に限らず、合成樹脂等でできた弾力性のある補液バッグの場合にも同様である。この結果、補液装置２が大型化してしまうという問題がある。
【０００５】
また、補液ビン５の場合、円柱形状を有し、変形することもないので、嵩張り、その取り扱いの作業性が悪いという問題がある。
【０００６】
本発明は、以上の点を考慮してなされたものであり、小型で扱いやすく、効率的に液体を補給できる補液バッグ支持装置及び補液装置を提供することを目的とするものである。
【０００７】
【課題を解決するための手段】
かかる課題を解決するため、第１の発明に係る補液バッグ支持装置は、内部に液体が充填された弾力性のある補液バッグを複数個同時に支持する補液バッグ支持装置において、複数段に積み上げられた補液バッグが載置された状態でこの補液バッグを斜めに支持する傾斜面を有する傾斜台と、この傾斜台のうち高い方の端部近傍に位置し、傾斜台に複数段に積み上げられた補液バッグのそれぞれの基端部を支持して滑落を防止すると共に補液バッグ内の液体の減少に伴う補液バッグの撓みを抑えて、その先端部が低い位置にずれて、すべての補液バッグが傾斜角度を大きくしていって液体の残留を防止する基端支持部と、前記傾斜台のうち低い方の端部近傍に位置し、傾斜台に複数段に積み上げられた補液バッグのそれぞれの液体出口を支持する液体出口支持部とを備えて構成されたことを特徴とする。
【０００８】
前記構成により、補液バッグは、傾斜台の上に載置された状態で、その基端部を基端支持部で支持され、先端の液体出口を液体出口支持部に支持される。次の補液バッグを設置する場合には、その補液バッグを、既に載置されている補液バッグの上側に載置し、その基端部を基端支持部に、先端の液体出口を液体出口支持部にそれぞれ掛ける。同様にして必要な個数の補液バッグを載置する。これにより、必要な個数の補液バッグを小さなスペースに効率的に設置することができる。なお、補液バッグ内の液体が減少していくと、補液バッグの高さが低くなっていくが、このとき、補液バッグはその基端部を基端支持部で、先端部を液体出口支持部でそれぞれ支持されているため、その先端部が低い位置にずれて、すべての補液バッグが傾斜角度を大きくしていって補液バッグの中間部分が撓むことが無くなり、その部分での液体の残留が防止できる。
【０００９】
第２の発明に係る補液バッグ支持装置は、前記補液バッグが前記傾斜台上に複数列に配置されてそれぞれの列で複数段に積み上げられるように前記基端支持部及び液体出口支持部を複数列配設すると共に、一の列を最低とし他の列はそれよりも高くなるように前記傾斜面の高さを調整したことを特徴とする。
【００１０】
前記構成により、補液バッグは傾斜台上に複数列に配置された状態で積み上げられる。この積み上げられた各列のうち、最低高さの列の補液バッグに他の列の補液バッグを接続管で接続し、この最低高さの列の補液バッグから外部に接続管を延出して液体を供給する。これにより、高い位置に載置された補液バッグ内の液体は全部最低位置の補液バッグに集まり、この最低位置の補液バッグから外部に供給される。これにより、液体の残留がなくなる。
【００１１】
第３の発明に係る補液バッグ支持装置は、前記基端支持部が前記傾斜台に対して出し入れ可能に取り付けられたことを特徴とする。
【００１２】
前記構成により、小さな補液バッグを用いる場合は、基端支持部を傾斜台に挿入した状態で使用する。大きな補液バッグを使用する場合は、基端支持部を傾斜台から引き出して、液体出口支持部との距離を延ばして使用する。これにより、補液バッグの大きさを問わずに使用することができる。
【００１３】
第４の発明に係る補液装置は、液体を少量づつ継続的に供給する補液装置において、弾力性を有すると共に内部に液体が充填されて複数段に積み上げられた補液バッグと、当該各補液バッグが載置された状態でこの補液バッグを斜めに支持する傾斜面を有する傾斜台と、この傾斜台のうち高い方の端部近傍に位置し、傾斜台に複数段に積み上げられた補液バッグのそれぞれの基端部を支持して滑落を防止すると共に補液バッグ内の液体の減少に伴う補液バッグの撓みを抑えて、その先端部が低い位置にずれて、すべての補液バッグが傾斜角度を大きくしていって液体の残留を防止する基端支持部と、前記傾斜台のうち低い方の端部近傍に位置し、傾斜台に複数段に積み上げられた補液バッグのそれぞれの液体出口を支持する液体出口支持部と、前記基端支持部及び液体出口支持部で支持された状態で前記傾斜台上に積み上げられた複数の補液バッグのうち互いに隣接する各液体出口をそれぞれ接続し、各補液バッグ内の液体を最低位置の補液バッグを介して外部に供給する接続管とを備えて構成されたことを特徴とする。
【００１４】
前記構成により、傾斜台上に補液バッグを、基端支持部及び液体出口支持部に支持された状態で複数個積層すると共に、各補液バッグを接続管で接続して、最低位置の補液バッグから液体を外部に供給する。これにより、各補液バッグ内の液体を少量ずつ継続的に供給することができる。さらに、各補液バッグ内の液体を全部最低位置の補液バッグに一旦集めて外部に供給するので、各補液バッグに液体が残留するのを防止することができる。
【００１５】
【発明の実施の形態】
以下、本発明に係る補液バッグ支持装置及び補液装置を添付図面に基づいて説明する。
【００１６】
［構成］
本実施形態でも従来と同様に、補液装置を補液を供給するための装置として使用する場合を例に説明する。図１は本実施形態に係る補液バッグ支持装置を示す斜視図である。図３は上部に補液装置を装着した人工透析装置を示す正面図である。図４は上部に補液装置を設置した人工透析装置を示す側面図である。図５は補液バッグ支持装置に補液バッグを１個設置した状態を示す部分斜視図である。図６は補液バッグ支持装置に補液バッグを複数段（４段）に設置した状態を示す側面図である。図７は補液バッグ支持装置に補液バッグを４段にかつ２列に設置して接続管で互いを接続した状態を示す正面図である。図８は４段に設置された補液バッグが接続管で互いに接続された状態を示す要部側面図である。図９は補液バッグ支持装置に大きいサイズの補液バッグを装着した状態を示す側面図である。
【００１７】
図３及び図４中の１０は人工透析装置である。この人工透析装置１０の上部には本実施形態に係る補液装置１１が取り付けられている。なお、補液装置１１は補液を少量づつ継続的に人工透析装置１０に供給する装置である。補液バッグ支持装置１２は補液バッグ１３を複数個同時に支持する装置で、この補液バッグ支持装置１２に複数の補液バッグ１３が設置されて接続管を介して人工透析装置１０に補液を供給できるようにしたのもが補液装置１１である。また、補液バッグ１３は、可撓性を有する合成樹脂等で形成され、内部に補液が充填されていない状態では薄く扁平につぶれ、補液を充填することで例えば図７のように厚みのある容器になる。
【００１８】
補液バッグ支持装置１２は、図１、図５及び図６に示すように主に、傾斜台１４と基端支持部１５と液体出口支持部１６とから構成されている。
【００１９】
傾斜台１４は、補液バッグ１３が載置された状態でこの補液バッグ１３を斜めに支持できるように、その上側が傾斜面１４Ａとなっている。即ち、側面形状がほぼくさび状に形成されている。この傾斜台１４は、補液バッグ１３を２列に配設できる広さになっている。さらに、一の列（図７中の右列）を最低とし、他の列（図７中の左列）はそれよりも高くなるように台部１４Ｂを設けて、傾斜面１４Ａの高さが調されている。
【００２０】
基端支持部１５は、傾斜台１４のう高い方の端部（図１中の右側端部）近傍に位置して設けられている。この基端支持部１５は、支持棒部１５Ａとフック１５Ｂとから構成されている。支持棒部１５Ａは、正面形状をほぼＵ字状（逆Ｕ字状）に、かつ側面形状をほぼＬ字状に形成されている。この支持棒部１５Ａの底部は傾斜台１４の傾斜面１４Ａの内側に設けられた固定支持具１７に支持されている。この固定支持具１７には固定用ねじ１８が設けられており、この固定用ねじ１８を弛めることで、支持棒部１５Ａがスライドできるようになっている。そして、固定用ねじ１８を弛め、支持棒部１５Ａをスライドさせて所定位置に合わせ、固定用ねじ１８を締めて支持棒部１５Ａを固定支持することで、基端支持部１５を補液バッグ１３の大きさに応じた位置に調整できるようになっている。フック１５Ｂは、支持棒部１５Ａの立ち上がり部分に一定間隔（補液が充填された補液バッグ１３の厚さと同じ間隔）をおいて複数個（本実施形態では８個）設けられている。このフック１５Ｂに、補液バッグ１３の基端部に設けられた係止用穴１３Ａが掛けられることで、補液バッグ１３を支持して滑落を防止するようになっている。さらに、補液バッグ１３の撓みも抑えるようになっている。即ち、補液バッグ１３内の補液が減少すると、補液バッグ１３が薄くなって、特に補液バッグ１３の中央付近で下方へ撓みやすくなるが、フック１５Ｂで補液バッグ１３の基端部を支持し、さらには液体出口支持部１６で補液バッグ１３の液体出口１３Ｂを支持するので、補液バッグ１３が撓むのを抑えて補液の残留を防止するようになっている。この補液バッグ１３の撓みは、積み上げられる補液バッグ１３の数が増えるほど顕著になるが、フック１５Ｂで各補液バッグ１３の基端部を個別に支持することで、その撓みを確実に抑えることができる。
【００２１】
液体出口支持部１６は、傾斜台１４の傾斜面１４Ａの下り側端部（図１中の左側端部）近傍に位置して設けられている。この液体出口支持部１６は、２本の棒材を垂直にかつ並行に立てて構成されている。この２本の棒材の間隔は、補液バッグ１３の液体出口１３Ａを挟んで支持できる幅に設定されている。これにより、基端支持部１５の各フック１５Ｂに掛けられて複数個が積み上げられた補液バッグ１３の液体出口１３Ｂがそれぞれ支持されているようになっている。
【００２２】
以上のように構成された補液バッグ支持装置１２には、図６〜図９に示すようにして複数個の補液バッグ１３が設置される。具体的には次のようにして補液バッグ１３が設置される。まず、基端支持部１５の位置が調整される。固定用ねじ１８を弛めて支持棒部１５Ａをスライドさせ、補液バッグ１３の大きさに合わせて固定用ねじ１８を締める。これにより、小さいサイズの補液バッグ１３の場合には支持棒部１５Ａが傾斜台１４から僅かにはみ出す程度に（図６参照）、大きいサイズの補液バッグ１３の場合には傾斜台１４から大きくはみ出すように（図９参照）、それぞれ調整される。
【００２３】
そして、傾斜台１４の傾斜面１４Ａ及び台部１４Ｂに最初の補液バッグ１３が載置される。そのとき、補液バッグ１３の基端部の係止用穴１３Ａが基端支持部１５のフック１５Ｂに掛けられる。さらに、液体出口１３Ｂは液体出口支持部１６の２本の棒材の間に挿入して支持される。次の補液バッグ１３は、前記同様にして、係止用穴１３Ａがフック１５Ｂに掛けられ、液体出口１３Ｂが液体出口支持部１６に挿入支持されて、積み上げられる。これを繰り返して４段に、かつ２列に積み上げられる。
【００２４】
さらに、これらの補液バッグ１３は、その液体出口１３Ｂが、接続管２０で接続される。この接続管２０は、２段目以上では、互いに隣同士で接続される。なお、最上段の補液バッグ１３の上側の接続管用穴２１は蓋体２２で塞がれる。台部１４Ｂ側の最下段の補液バッグ１３では、その接続管２０が、隣の最低位置側の最下段の補液バッグ１３′に接続される。なお、この補液バッグ１３′の液体出口１３Ｂには、３つの接続管用穴２１が設けられている。そして、この３つの接続管用穴２１のうち１つに直上の補液バッグ１３からの接続管２０が接続され、他の１つに台部１４Ｂ側の最下段の補液バッグ１３からの接続管２０が接続され、残る１つに外部へ延出される接続管２０が接続される。以上のようにして補液装置１１が構成されている。
【００２５】
この補液装置１１は、図４のように、人工透析装置１０の上側に取り付けて用いられる。補液装置１１が人工透析装置１０の上側に取り付けられた状態で、最下段の補液バッグ１３′から延出された接続管２０が人工透析装置１０内の補液供給部位に接続されている。なお、図４においては、補液装置１１を概略的に記載し、補液バッグ１３及び接続管２０等の記載は省略している。
【００２６】
［動作］
前記構成の補液装置１１では、人工透析装置１０での透析処理に応じて、補液が供給される。このとき、人工透析装置１０内へは、最低位置側の最下段の補液バッグ１３′内の補液が接続管２０を介して直接に供給される。他の補液バッグ１３内の補液はその下側の補液バッグ１３に供給される。そして、台部１４Ｂ側の最下段の補液バッグ１３では、隣の最低位置側の最下段の補液バッグ１３′に供給される。
【００２７】
これにより、各補液バッグ１３内の補液が徐々に減少してゆき、各補液バッグ１３の厚みが徐々に薄くなり、４段に積み上げた全体の高さが徐々に低くなっていく。このとき、補液バッグ１３の液体出口１３Ｂは、液体出口支持部１６の２本の棒材で両側を支持されているだけなので、下方へずり下がる。一方、補液バッグ１３の基端部は、係止用穴１３Ａが基端支持部１５のフック１５Ｂに掛けられているため、その位置がずれることはなく、当初の位置で支持される。
【００２８】
これにより、補液バッグ１３は、その基端部が高い位置に支持され、先端部が低い位置にずれて、補液バッグ１３の中央部分が下方へ撓むこともなくなり、すべての補液バッグ１３が傾斜角度を大きくしていく。この結果、各補液バッグ１３内の補液が全部効率的に、人工透析装置１０内に供給される。
【００２９】
各補液バッグ１３内の補液が無くなれば、接続管２０を外して各補液バッグ１３を補液バッグ支持装置１２から取り外し、前記同様にして、新しい補液バッグ１３を設置する。
【００３０】
［効果］
以上のように、補液が入った補液バッグ１３を傾斜台１４の上に複数段に積み上げて、その前後を基端支持部１５及び液体出口支持部１６で支持するようにしたので、複数の補液バッグ１３を小さなスペースで効率的に設置することができ、嵩張らず、補液装置１１の小型化を図ることができる。
【００３１】
また、可撓性を有する補液バッグ１３を用いたので、ガラスビンの場合のように割れるおそれがなく、使用後は薄くなってしまうので、取り扱いがきわめて容易になり、作業性が大幅に向上する。
【００３２】
また、補液バッグ１３は、その基端部をフック１５Ｂで支持された状態で、補液バッグ１３の全体が撓むことなく、先端側の液体出口１３Ｂが下方へずり下がるので、補液バッグ１３内の補液を全部効率的に外部に排出することができ、補液の残留を解消することができる。
【００３３】
さらに、基端支持部１５が固定支持具１７によって、傾斜台１４に対して出し入れ可能に取り付けられたので、各種の大きさの補液バッグ１３を使用することができる。
【００３４】
［変形例］
（１）  前記実施形態では、基端支持部１５及び液体出口支持部１６をそれぞれ２カ所に設けて補液バッグ１３を２列に積層する構成にしたが、これらを１カ所だけ設けて、補液バッグ１３を１列に積層するようにしてもよい。さらに、これらを３カ所以上設けて、補液バッグ１３を３列以上に積層するようにしてもよい。３列以上にする場合には、その中の１の列を最低位置とし、他の列に台部１４Ｂを設けて高くする。
【００３５】
【発明の効果】
以上、詳述したように、本発明によれば次のような効果を奏することができる。
【００３６】
（１）  補液バッグの前後を基端支持部及び液体出口支持部で支持して、傾斜台の上に複数段に積み上げるようにしたので、補液バッグを小さなスペースで効率的に配設することができ、全体が嵩張らず、装置の小型化を図ることができる。
【００３７】
（２）  補液バッグを傾斜台の上に載置した状態で、その基端部を基端支持部で支持し、先端の液体出口を液体出口支持部で支持するので、補液バッグの中間部分が撓むことが無くなり、補液バッグ内の液体を効率的に外部に供給することができ、液体の残留を解消することができる。
【００３８】
（３）  補液バッグを傾斜台上に複数列に、かつ複数段に積み上げて配設すると共に、一の列を最低とし他の列はそれよりも高くなるように前記傾斜面の高さを調整したので、各補液バッグを互いに接続すると内部の液体は最も低い位置にある補液バッグに集中し、各補液バッグ内の液体を効率的に外部に供給して、液体の残留を解消することができる。
【００３９】
（４）  基端支持部が傾斜台に対して出し入れ可能に取り付けられたので、各種の大きさの補液バッグを使用することができる。
【図面の簡単な説明】
【図１】  本発明に係る補液バッグ支持装置を示す斜視図である。
【図２】  従来の補液装置が人工透析装置に取り付けられた状態を示す正面図である。
【図３】  本発明の補液装置が人工透析装置に取り付けられた状態を示す正面図である。
【図４】  本発明の補液装置が人工透析装置に取り付けられた状態を示す側面図である。
【図５】  補液バッグ支持装置に補液バッグが載置された状態を示す要部斜視図である。
【図６】  補液バッグ支持装置に補液バッグが４段に載置された状態を示す側面図である。
【図７】  補液バッグ支持装置に補液バッグが４段にかつ２列に載置された状態を示す概略正面図である。
【図８】  補液バッグの液体出口が接続管で互いに接続された状態を示す部分側面図である。
【図９】  補液バッグ支持装置にサイズの大きい補液バッグが載置された状態を示す側面図である。
【符号の説明】
１０：人工透析装置、１１：補液装置、１２：補液バッグ支持装置、１３：補液バッグ、１４：傾斜台、１４Ａ：傾斜面、１４Ｂ：台部、１５：基端支持部、１５Ｂ：フック、１６：液体出口支持部、１７：固定支持具、１８：固定用ねじ、２０：接続管。
【図１】
0003886185.tif 000002
【図２】
0003886185.tif 000003
【図３】
0003886185.tif 000004
【図４】
0003886185.tif 000005
【図５】
0003886185.tif 000006
【図６】
0003886185.tif 000007
【図７】
0003886185.tif 000008
【図８】
0003886185.tif 000009
【図９】
0003886185.tif 000010